(57)【要約】【課題】  原紙のみを箔打ち機で叩いて製造するような従来の製造方法によって製造することのできる化粧用脂取り紙であるにも拘らず、皮脂吸収性と汗吸収性との双方に優れ、しかも柔軟性、肌触り等の使用感や皮脂吸収後の透明感（目視確認性）が高く、使用者に十分な満足感を与えることが可能な化粧用脂取り紙を提供すること。【解決手段】  ＨＬＢ値が７〜１７の非イオン性界面活性剤、オレイン酸及びオレイルアルコールからなる群から選択される少なくとも１種の化合物が、薄葉紙の少なくとも一方の面の一部又は全部に担持されていることを特徴とする化粧用脂取り紙。【選択図】  なし【特許請求の範囲】
【請求項１】
ＨＬＢ値が７〜１７の非イオン性界面活性剤、オレイン酸及びオレイルアルコールからなる群から選択される少なくとも１種の化合物が、薄葉紙の少なくとも一方の面の一部又は全部に担持されていることを特徴とする化粧用脂取り紙。
【請求項２】
前記非イオン性界面活性剤が、高級アルコールのエチレンオキサイド付加物、脂肪酸のエチレンオキサイド付加物、油脂のエチレンオキサイド付加物、グリセロールの脂肪酸エステル及びそのエチレンオキサイド付加物、ソルビトールの脂肪酸エステル及びそのエチレンオキサイド付加物、並びにソルビタンの脂肪酸エステル及びそのエチレンオキサイド付加物からなる群から選択される少なくとも１種であることを特徴とする請求項１に記載の化粧用脂取り紙。
【請求項３】
前記非イオン性界面活性剤が、ポリオキシエチレンＣ１２〜Ｃ２２アルキルエーテル、ポリオキシエチレンＣ１２〜Ｃ２２脂肪酸モノエステル、硬化ひまし油のエチレンオキサイド付加物、ポリグリセリンＣ１２〜Ｃ２２脂肪酸エステル、ソルビトールＣ１２〜Ｃ２２脂肪酸エステルのエチレンオキサイド付加物、ソルビタンＣ１２〜Ｃ２２脂肪酸モノエステルのエチレンオキサイド付加物及びソルビタンＣ１２〜Ｃ２２脂肪酸トリエステルのエチレンオキサイド付加物からなる群から選択される少なくとも１種であることを特徴とする請求項１又は２に記載の化粧用脂取り紙。
【発明の詳細な説明】
【技術分野】
【０００１】
本発明は、化粧用脂取り紙に関し、更に詳しくは、主として女性が化粧直し時、又は化粧時に際し、顔面の皮脂と汗を吸収させて取り除くのに適する化粧用脂取り紙に関する。
【背景技術】
【０００２】
従来から用いられている化粧用脂取り紙としては、金箔の箔打ちによって生じる副産物である箔打ち紙が知られている。このような箔打ち紙は、箔打ち原紙の間に金箔を挟み、その所望枚数を一束として箔打ち機により束面から万遍なく繰り返し叩くことによって、薄く伸ばされて製造される。このように箔打ち原紙の繊維が砕ける程に繰り返し叩かれることで、箔打ち紙には柔軟性、平滑性及び光沢が付与されている。そして、前述のような柔軟性や平滑性を有することから、箔打ち紙は、皮脂の吸収性が良く、主として皮脂分泌による化粧崩れ防止、テカリ防止の目的に適した高品質の化粧用脂取り紙として使用されていた。
【０００３】
しかしながら、このような化粧用脂取り紙は、箔打ちに使用した箔打ち紙を有効利用したものに過ぎないため、その供給量に一定の限界があった。また、近年、化粧時のみの使用に限らず、衛生的な観点から日常的に、性別、年令の高低を問わずに化粧用脂取り紙が使用される傾向にあり、化粧用脂取り紙の需要が多量になってきている。そのため、近年においては、種々の化粧用脂取り紙の提案がなされている。
【０００４】
例えば、金箔を挟むことなく、原紙のみを束ねた状態のものを箔打ち機により叩いて化粧用脂取り紙としたものが提供されている。しかしながら、このようにして得られた化粧用脂取り紙は、原紙のみを箔打ち機で叩いて製造することから原紙同士が接触することになり、原紙自体の弾力によって紙の繊維が潰れ難いため、柔軟性や平滑性を得ることができ難く、皮脂及び汗の吸収性が劣るばかりか、肌触りも劣るものとなって箔打ち紙に比べて品質が劣るものであった。そのため、このような化粧用脂取り紙は、使用感や化粧用脂取り紙特有の皮脂吸収後の透明感が悪く、使用者に満足感を与えることができないものとなっていた。
【０００５】
一方、特開平１１−２３９５１７号公報（特許文献１）では、プラスチック材料の多孔質フィルムからなる化粧用脂取りシートが開示されており、特開平１１−２７９９９３号公報（特許文献２）では、パルプ原料に無機質填料を配合してなる紙料を抄紙して得られる紙に耐油剤を塗布してなる化粧用脂取り紙が開示されている。しかしながら、このような従来公知の化粧用脂取りシートや化粧用脂取り紙であっても、皮脂吸収性と汗吸収性との双方を十分に満足するものではなく、また、十分なものではなかった。
【特許文献１】特開平１１−２３９５１７号公報
【特許文献２】特開平１１−２７９９９３号公報
【発明の開示】
【発明が解決しようとする課題】
【０００６】
本発明は、上記従来技術の有する課題に鑑みてなされたものであり、原紙のみを箔打ち機で叩いて製造するような従来の製造方法によって製造することのできる化粧用脂取り紙であるにも拘らず、皮脂吸収性と汗吸収性との双方に優れ、しかも柔軟性、肌触り等の使用感や皮脂吸収後の透明感（目視確認性）が高く、使用者に十分な満足感を与えることが可能な化粧用脂取り紙を提供することを目的とするものである。
【課題を解決するための手段】
【０００７】
本発明者らは、上記目的を達成すべく鋭意研究を重ねた結果、紙料原料として植物繊維を主体にして抄紙された薄葉紙の表面に特定の化合物を付与することにより、皮脂吸収性及び汗吸収性に優れ、使用感にも優れることを見出し、この知見に基づき本発明を完成させた。
【０００８】
すなわち、本発明の化粧用脂取り紙は、ＨＬＢ値が７〜１７の非イオン性界面活性剤、オレイン酸及びオレイルアルコールからなる群から選択される少なくとも１種の化合物が、薄葉紙の少なくとも一方の面の一部又は全部に担持されていることを特徴とするものである。
【０００９】
上記本発明にかかる前記非イオン界面活性剤としては、高級アルコールのエチレンオキサイド付加物、脂肪酸のエチレンオキサイド付加物、油脂のエチレンオキサイド付加物、グリセロールの脂肪酸エステル及びそのエチレンオキサイド付加物、ソルビトールの脂肪酸エステル及びそのエチレンオキサイド付加物、並びにソルビタンの脂肪酸エステル及びそのエチレンオキサイド付加物からなる群から選択される少なくとも１種であることが好ましい。
【００１０】
また、上記本発明にかかる前記非イオン界面活性剤としては、ポリオキシエチレンＣ１２〜Ｃ２２アルキルエーテル、ポリオキシエチレンＣ１２〜Ｃ２２脂肪酸モノエステル、硬化ひまし油のエチレンオキサイド付加物、ポリグリセリンＣ１２〜Ｃ２２脂肪酸エステル、ソルビトールＣ１２〜Ｃ２２脂肪酸エステルのエチレンオキサイド付加物、ソルビタンＣ１２〜Ｃ２２脂肪酸モノエステルのエチレンオキサイド付加物及びソルビタンＣ１２〜Ｃ２２脂肪酸トリエステルのエチレンオキサイド付加物からなる群から選択される少なくとも１種であることが特に好ましい。
【発明の効果】
【００１１】
本発明によれば、原紙のみを箔打ち機で叩いて製造するような従来の製造方法によって製造することのできる化粧用脂取り紙であるにも拘らず、皮脂吸収性と汗吸収性との双方に優れ、しかも柔軟性、肌触り等の使用感や皮脂吸収後の透明感（目視確認性）が高く、使用者に十分な満足感を与えることが可能な化粧用脂取り紙を提供することが可能となる。
【発明を実施するための最良の形態】
【００１２】
以下、本発明をその好適な実施形態に即して詳細に説明する。
【００１３】
本発明の化粧用脂取り紙は、ＨＬＢ値が７〜１７の非イオン性界面活性剤、オレイン酸及びオレイルアルコールからなる群から選択される少なくとも１種の化合物が、薄葉紙の少なくとも一方の面の一部又は全部に担持されていることを特徴とするものである。
【００１４】
なお、本発明において用いるＨＬＢ値は、グリフィスのＨＬＢ値を表わす。
【００１５】
また、前述のように、本発明にかかる非イオン性界面活性剤のＨＬＢ値は７〜１７である。ＨＬＢ値が７未満では、吸脂性はあっても吸汗性や目視確認性が劣り、他方、１７を超えると、吸汗性はあっても、吸脂性や紙の使用感が劣ることとなる。
【００１６】
このような本発明に用いられるＨＬＢ値が７〜１７の非イオン性界面活性剤としては、例えば、高級アルコールのエチレンオキサイド付加物、アルキルフェノールのエチレンオキサイド付加物、脂肪酸のエチレンオキサイド付加物、高級アルキルアミンのエチレンオキサイド付加物、脂肪酸アミドのエチレンオキサイド付加物、油脂のエチレンオキサイド付加物、ポリプロピレングリコールのエチレンオキサイド付加物、グリセロールの脂肪酸エステル及びそのエチレンオキサイド付加物、ペンタエリスリトールの脂肪酸エステル及びそのエチレンオキサイド付加物、ソルビトール又はソルビタンの脂肪酸エステル及びそのエチレンオキサイド付加物、ショ糖の脂肪酸エステル及びそのエチレンオキサイド付加物、アルカノールアミン類の脂肪酸アミド及びそのエチレンオキサイド付加物等の非イオン性界面活性剤であってＨＬＢ値が７〜１７であるものが挙げられる。このようなＨＬＢ値が７〜１７の非イオン性界面活性剤の中でも、より高い使用感、吸脂性、吸汗性及び目視確認性を得るという観点から、高級アルコールのエチレンオキサイド付加物、脂肪酸のエチレンオキサイド付加物、油脂のエチレンオキサイド付加物、グリセロールの脂肪酸エステル及びそのエチレンオキサイド付加物、ソルビトール又はソルビタンの脂肪酸エステル及びそのエチレンオキサイド付加物であってＨＬＢ値が７〜１７であるものを用いることが好ましい。特に、ポリオキシエチレンＣ１２〜Ｃ２２アルキルエーテル、ポリオキシエチレンＣ１２〜Ｃ２２脂肪酸モノエステル、硬化ひまし油のエチレンオキサイド付加物、ポリグリセリンＣ１２〜Ｃ２２脂肪酸エステル、ソルビトールＣ１２〜Ｃ２２脂肪酸エステルのエチレンオキサイド付加物、ソルビタンＣ１２〜Ｃ２２脂肪酸モノエステルのエチレンオキサイド付加物又はソルビタンＣ１２〜Ｃ２２脂肪酸トリエステルのエチレンオキサイド付加物であってＨＬＢ値が７〜１７であるものを用いることが好ましい。
【００１７】
また、本発明に用いられる薄葉紙としては特に制限されず、従来公知の方法によって製造された薄葉紙であっても用いることができる。このような薄葉紙としては、例えば、雁皮、サンピ、みつまた、楮、マニラ麻、藁、竹等植物繊維をケミカルパルプ化法、セミケミカルパルプ化法、ケミグランドパルプ化法、メカニカルパルプ化法等によって製造された植物繊維を主成分としたパルプ原料に、針葉樹、広葉樹等からケミカルパルプ化法、セミケミカルパルプ化法、ケミグランドパルプ化法、メカニカルパルプ化法等によって製造された木材パルプ、ポリエチレン、ポリプロピレン等の合成パルプ、ポリエチレン、ポリプロピレン、ポリスチレン、ポリ塩化ビニル、ポリビニルアルコール、アクリル、ポリエステル、ナイロン、レーヨン等の合成繊維、絹繊維等の動物繊維、又は、クレー、タルク、カオリン、炭酸カルシウム、酸化チタン、ホワイトカーボン等の無機質填料が配合された紙料を抄紙して得られる薄葉紙が挙げられる。
【００１８】
また、このような薄葉紙の中でも、坪量が１０〜３０ｇ／ｍ２の薄葉紙が好ましい。坪量が前記下限未満では、十分な強度が得られなかったり、吸油性や吸汗性が十分でなくなる傾向にあり、他方、前記上限を超えると脂取り紙独特の柔らかい使用感が得られにくくなる傾向にある。
【００１９】
本発明の化粧用脂取り紙は、前記薄葉紙の少なくとも一方の面の一部又は全部に、前記ＨＬＢ値が７〜１７の非イオン性界面活性剤、オレイン酸及びオレイルアルコールからなる群から選択される少なくとも１種の化合物が担持されている。
【００２０】
このような本発明の化粧用脂取り紙の製造方法は特に制限されず、例えば、薄葉紙の両方の面の全体に、ＨＬＢ値が７〜１７の非イオン性界面活性剤、オレイン酸又はオレイルアルコールを担持させてスーパーカレンダー処理工程、或いは、ＨＬＢ値が７〜１７の非イオン性界面活性剤、オレイン酸又はオレイルアルコールを担持させた後の紙を１５ｃｍ以上の正方形又は長方形に調製して交互に重ね合わせてカレンダー加工をした後に紙の所望枚数（例えば５００〜３０００枚程度）を一束として箔打ち機で叩く工程を経ることによって、目的とする化粧用脂取り紙を製造する方法等を挙げることができる。
【００２１】
また、ＨＬＢ値が７〜１７の非イオン性界面活性剤、オレイン酸又はオレイルアルコールを薄葉紙に担持させる方法としては特に制限されず、薄葉紙の抄紙時、抄紙後のいずれであってもよく、例えば、薄葉紙をＨＬＢ値が７〜１７の非イオン性界面活性剤の溶解した処理浴中に浸し、薄葉紙に前記非イオン性界面活性剤を浸漬させた後、適宜公知の方法で余分な処理液を除去し、その後乾燥させる方法を挙げることができる。
【００２２】
さらに、ＨＬＢ値が７〜１７の非イオン性界面活性剤、オレイン酸又はオレイルアルコールを薄葉紙に担持させるに際しては、ＨＬＢ値が７〜１７の非イオン性界面活性剤、オレイン酸又はオレイルアルコールを適当な溶媒に希釈することが望ましい。このような溶媒としては、ＨＬＢ値が７〜１７の非イオン性界面活性剤、オレイン酸又はオレイルアルコールを溶解できるものであれば良く特に制限されないが、例えば、水、メタノール、エタノール等のアルコール系溶媒、アセトン、メチルエチルケトン等のケトン系溶媒、酢酸エチル等のエステル系溶媒、テトラハイドロフラン等が挙げられる。
【００２３】
また、ＨＬＢ値が７〜１７の非イオン性界面活性剤、オレイン酸又はオレイルアルコールを前記薄葉紙に担持させる量としては、０．０１〜３ｇ／ｍ２であることが好ましい。前記担持量が前記下限未満では得られる脂取り紙に十分な使用感、吸脂性、吸汗性及び目視確認性を付与することができない傾向にあり、他方、前記上限を超えると得られる脂取り紙にべたつき感が出たり、吸脂性、吸汗性が不十分になり目視確認性を付与することができなくなる傾向にある。
【実施例】
【００２４】
以下、実施例及び比較例に基づいて本発明をより具体的に説明するが、本発明は以下の実施例に限定されるものではない。
【００２５】
（実施例１）
ポリオキシエチレンオレイルエーテル（ＨＬＢ７．５）１ｇを溶媒であるテトラハイドロフラン１００ｇに溶解させた処理浴中に薄葉紙１枚（Ａ４版、ＩＳ０−００３１、坪量１６ｇ／ｍ２）を２０秒間浸した後、ろ紙に挟み、浸漬した余分な処理液を除去し、その後風乾して、ポリオキシエチレンオレイルエーテル（ＨＬＢ７．５）を約０．２ｇ／ｍ２付与した化粧用脂取り紙を得た。
【００２６】
（実施例２〜１４及び比較例１〜９）
実施例２〜１４及び比較例１〜９においては、ポリオキシエチレンオレイルエーテル（ＨＬＢ７．５）１ｇの代わりに表１に記載された化合物又は混合物１ｇを用いた以外は実施例１と同様にして化粧用脂取り紙を得た。
【００２７】
実施例１〜１４及び比較例１〜９で得られた化粧用脂取り紙を、２４℃、２８％ＲＨの室内で調湿した後、５ｃｍ角に裁断して試験紙とした。このような試験紙を用いて吸脂性、吸汗性、目視確認性及び紙の使用感の試験を行った。評価した結果を表１に示す。
【００２８】
吸脂性
１５枚重ねた試験紙の上に、マカデミアナッツ油の油滴１滴を落とした後、その上に厚さ１ｍｍ、４×４ｃｍ角のアルミ板をのせて、更に１００ｇの荷重を１０秒間かけた。荷重を取り除いた後にアルミ板に付着した油の量（残脂量）及び試験紙１５枚の重量の増加量（吸脂量）を測定して、下記の計算式で吸脂率を算出した。
式：吸脂率（％）＝｛吸脂量／（吸脂量＋残脂量）｝×１００
吸汗性
１５枚重ねた試験紙の上に、生理食塩水の水滴１滴を落とし、その水滴が吸収される状態を下記の基準で判定した。
◎：直ちに吸収した。
○：吸収した。
△：やや撥水した。
×：撥水した。
【００２９】
目視確認性
試験紙を実際に人の顔面に押し当てて皮脂及び汗を吸収させた後、試験紙の透け具合を下記の基準で判定した。
◎：紙が良く透けて吸収状態が良く確認できた。
○：紙が透けて吸収状態が確認できた。
△：やや透け具合が悪く吸収状態が確認しづらかった。
×：透け具合が非常に悪く吸収状態が確認しづらかった。
【００３０】
紙の使用感
試験紙と薬剤処理前の薄葉紙（原紙）とを手で触り、比べて、以下の基準で判定した。◎：原紙に比べて柔らかい。
○：原紙に比べてやや柔らかい。
△：原紙に比べてやや固い。
×：原紙に比べて固い。
【００３１】
【表１】
2006087453.tif 000002
表１の評価結果から、実施例１〜１４で得られた化粧用脂取り紙は、吸脂性、吸汗性、目視確認性及び使用感が優れていることが確認された。このようにＨＬＢ値が７〜１７である非イオン界面活性剤を用いた実施例１〜１０、実施例１３及び実施例１４で得られた化粧用脂取り紙は、吸脂性と吸汗性との両方の性能を満していた。また、ＨＬＢ値は７〜１７の範囲外ではあるが、オレイン酸（ＨＬＢ約１）又はオレイルアルコール（ＨＬＢ約１）を用いた実施例１１及び実施例１２で得られた化粧用脂取り紙も、吸脂性と吸汗性との両方の性能を満たしていた。
【００３２】
一方、ＨＬＢ値が７未満のエステル系非イオン界面活性剤を用いた比較例２、比較例４及び比較例５で得られた化粧用脂取り紙は、吸脂性はあっても、吸汗性や目視確認性が劣ることが確認された。なお、ＨＬＢ値が７未満のエステル系非イオン界面活性剤を用いた比較例３で得られた化粧用脂取り紙に至っては、吸汗性や目視確認性ばかりか、吸脂性も劣っていた。
【００３３】
また、ＨＬＢ値が１７を超えるエステル系非イオン界面活性剤を用いた比較例７で得られた化粧用脂取り紙は、吸汗性はあっても、吸脂性や紙の使用感が劣っていることが確認された。なお、ＨＬＢ値が１７を超えるエステル系非イオン界面活性剤を用いた比較例６で得られた化粧用脂取り紙に至っては、吸脂性や紙の使用感ばかりか、吸汗性も劣っていた。
【００３４】
また、水を用いた比較例１で得られた化粧用脂取り紙及び本発明にかかる化合物以外のものを用いた比較例８〜９で得られた化粧用脂取り紙においては、吸脂性と吸汗性とが共に劣ったものであることが確認された。
【００３５】
このように比較例１〜比較例９で得られた化粧用脂取り紙は、ＨＬＢ値が７〜１７である非イオン界面活性剤を用いた実施例１〜１４のように吸脂性と吸汗性との両方の性能を同時に満たすことはできなかった。
【産業上の利用可能性】
【００３６】
本発明によれば、原紙のみを箔打ち機で叩いて製造するような従来の製造方法によって製造することのできる化粧用脂取り紙であるにも拘らず、皮脂吸収性と汗吸収性との双方に優れ、しかも柔軟性、肌触り等の使用感や皮脂吸収後の透明感（目視確認性）が高く、使用者に十分な満足感を与えることが可能な化粧用脂取り紙を提供することが可能となり、その製造方法の容易性により高い経済的な効果が期待できる。